【手続補正書】
【提出日】平成19年5月25日(2007.5.25)
【手続補正１】
【補正対象書類名】特許請求の範囲
【補正対象項目名】全文
【補正方法】変更
【補正の内容】
【特許請求の範囲】
【請求項１】
画像情報に応じて形成された静電潜像を担持する像担持体と、前記像担持体上に形成された静電潜像を現像する現像手段と、前記現像手段によって現像された前記像担持体上の像を転写材に転写する転写手段と、前記転写手段によって像が転写された転写材を搬送する搬送手段と、前記搬送手段により搬送された転写材上の像を定着回転体と加圧回転体とで構成される定着ニップ部で挟持搬送して転写材に定着させる定着手段と、前記搬送手段から前記定着手段へ搬送される間の転写材に生ずるループ量を検知するループ量検知手段と、前記ループ量検知手段の検知情報に基づいて前記搬送手段あるいは定着手段による転写材の搬送速度を制御して前記ループ量を複数段階に切り替えるループ量切り替え手段と、
を備えた画像形成装置であって、
環境検知手段を備え、
前記ループ量切り替え手段は、前記環境検知手段の検知結果に基づいて前記ループ量を切り替えることを特徴とする画像形成装置。
【請求項２】
請求項１に記載の画像形成装置において、
前記環境検知手段は、少なくとも温度または湿度を検知可能な環境検知センサであることを特徴とする画像形成装置。
【請求項３】
画像情報に応じて形成された静電潜像を担持する像担持体と、前記像担持体上に形成された静電潜像を現像する現像手段と、前記現像手段によって現像された前記像担持体上の像を転写材に転写する転写手段と、前記転写手段によって像が転写された転写材を搬送する搬送手段と、前記搬送手段により搬送された転写材上の像を定着回転体と加圧回転体とで構成される定着ニップ部で挟持搬送して転写材に定着させる定着手段と、前記搬送手段から前記定着手段へ搬送される間の転写材に生ずるループ量を検知するループ量検知手段と、前記ループ量検知手段の検知情報に基づいて前記搬送手段あるいは定着手段による転写材の搬送速度を制御して前記ループ量を複数段階に切り替えるループ量切り替え手段と、
を備えた画像形成装置であって、
前記転写手段によって転写を行うに先立って、前記転写材を帯電するために前記搬送手段に直接または転写材を介して当接する転写前帯電手段を備え、
前記ループ量切り替え手段は、前記転写前帯電手段によって前記転写材を帯電する際に検知した転写材もしくは転写前帯電手段の部材の抵抗に応じて前記ループ量を切り替えることを特徴とする画像形成装置。
【請求項４】
請求項１ないし３のいずれかに記載の画像形成装置において、
前記ループ量検知手段は、転写材に接触し揺動する揺動部材と該揺動部材の位置を検知する位置検知部材より構成され、前記揺動部材は少なくとも２つ以上の異なる範囲での転写材のループ状態が検知可能となるよう揺動し、前記２つ以上の異なる範囲毎に揺動部材の位置検知可能な位置検知部材を有することを特徴とする画像形成装置。
【請求項５】
請求項１ないし３のいずれかに記載の画像形成装置において、
前記ループ量検知手段は、転写材に接触し揺動する揺動部材と該揺動部材の位置を検知する位置検知部材より構成された２組の検知手段を有することを特徴とする画像形成装置。
【請求項６】
請求項１ないし３のいずれかに記載の画像形成装置において、
前記ループ量検知手段は、転写材に接触し揺動する揺動部材とこれと連結された少なくとも２つ以上の位置の異なる転写材のループ状態を検知できるフラグと、このフラグにそれぞれ対応した少なくとも２つ以上の位置検知部材を有することを特徴とする画像形成装置。
【手続補正２】
【補正対象書類名】明細書
【補正対象項目名】発明の名称
【補正方法】変更
【補正の内容】
【発明の名称】画像形成装置
【手続補正３】
【補正対象書類名】明細書
【補正対象項目名】００２６
【補正方法】変更
【補正の内容】
【００２６】
本発明は、このような状況のもとでなされたもので、装置構成を大きくすることなく、また環境にかかわりなく、画像劣化を防止できる画像形成装置を提供することを課題とするものである。
【手続補正４】
【補正対象書類名】明細書
【補正対象項目名】００２７
【補正方法】変更
【補正の内容】
【００２７】
前記課題を解決するため、本発明では、画像形成装置を次の（１）ないし（６）のとおりに構成する。
（１）画像情報に応じて形成された静電潜像を担持する像担持体と、前記像担持体上に形成された静電潜像を現像する現像手段と、前記現像手段によって現像された前記像担持体上の像を転写材に転写する転写手段と、前記転写手段によって像が転写された転写材を搬送する搬送手段と、前記搬送手段により搬送された転写材上の像を定着回転体と加圧回転体とで構成される定着ニップ部で挟持搬送して転写材に定着させる定着手段と、前記搬送手段から前記定着手段へ搬送される間の転写材に生ずるループ量を検知するループ量検知手段と、前記ループ量検知手段の検知情報に基づいて前記搬送手段あるいは定着手段による転写材の搬送速度を制御して前記ループ量を複数段階に切り替えるループ量切り替え手段と、
を備えた画像形成装置であって、
環境検知手段を備え、
前記ループ量切り替え手段は、前記環境検知手段の検知結果に基づいて前記ループ量を切り替える画像形成装置。
（２）前記（１）に記載の画像形成装置において、
前記環境検知手段は、少なくとも温度または湿度を検知可能な環境検知センサである画像形成装置。
（３）画像情報に応じて形成された静電潜像を担持する像担持体と、前記像担持体上に形成された静電潜像を現像する現像手段と、前記現像手段によって現像された前記像担持体上の像を転写材に転写する転写手段と、前記転写手段によって像が転写された転写材を搬送する搬送手段と、前記搬送手段により搬送された転写材上の像を定着回転体と加圧回転体とで構成される定着ニップ部で挟持搬送して転写材に定着させる定着手段と、前記搬送手段から前記定着手段へ搬送される間の転写材に生ずるループ量を検知するループ量検知手段と、前記ループ量検知手段の検知情報に基づいて前記搬送手段あるいは定着手段による転写材の搬送速度を制御して前記ループ量を複数段階に切り替えるループ量切り替え手段と、
を備えた画像形成装置であって、
前記転写手段によって転写を行うに先立って、前記転写材を帯電するために前記搬送手段に直接または転写材を介して当接する転写前帯電手段を備え、
前記ループ量切り替え手段は、前記転写前帯電手段によって前記転写材を帯電する際に検知した転写材もしくは転写前帯電手段の部材の抵抗に応じて前記ループ量を切り替える画像形成装置。
（４）前記（１）ないし（３）のいずれかに記載の画像形成装置において、
前記ループ量検知手段は、転写材に接触し揺動する揺動部材と該揺動部材の位置を検知する位置検知部材より構成され、前記揺動部材は少なくとも２つ以上の異なる範囲での転写材のループ状態が検知可能となるよう揺動し、前記２つ以上の異なる範囲毎に揺動部材の位置検知可能な位置検知部材を有する画像形成装置。
（５）前記（１）ないし（３）のいずれかに記載の画像形成装置において、
前記ループ量検知手段は、転写材に接触し揺動する揺動部材と該揺動部材の位置を検知する位置検知部材より構成された２組の検知手段を有する画像形成装置。
（６）前記（１）ないし（３）のいずれかに記載の画像形成装置において、
前記ループ量検知手段は、転写材に接触し揺動する揺動部材とこれと連結された少なくとも２つ以上の位置の異なる転写材のループ状態を検知できるフラグと、このフラグにそれぞれ対応した少なくとも２つ以上の位置検知部材を有する画像形成装置。
【手続補正５】
【補正対象書類名】明細書
【補正対象項目名】００２８
【補正方法】削除
【補正の内容】
【手続補正６】
【補正対象書類名】明細書
【補正対象項目名】００２９
【補正方法】削除
【補正の内容】
【手続補正７】
【補正対象書類名】明細書
【補正対象項目名】００３０
【補正方法】削除
【補正の内容】
【手続補正８】
【補正対象書類名】明細書
【補正対象項目名】００３１
【補正方法】削除
【補正の内容】
【手続補正９】
【補正対象書類名】明細書
【補正対象項目名】００３２
【補正方法】削除
【補正の内容】
【手続補正１０】
【補正対象書類名】明細書
【補正対象項目名】００３３
【補正方法】削除
【補正の内容】
【手続補正１１】
【補正対象書類名】明細書
【補正対象項目名】００３４
【補正方法】削除
【補正の内容】
【手続補正１２】
【補正対象書類名】明細書
【補正対象項目名】００３５
【補正方法】削除
【補正の内容】
【手続補正１３】
【補正対象書類名】明細書
【補正対象項目名】００３６
【補正方法】削除
【補正の内容】
【手続補正１４】
【補正対象書類名】明細書
【補正対象項目名】００３７
【補正方法】削除
【補正の内容】
【手続補正１５】
【補正対象書類名】明細書
【補正対象項目名】００３８
【補正方法】削除
【補正の内容】
【手続補正１６】
【補正対象書類名】明細書
【補正対象項目名】００３９
【補正方法】削除
【補正の内容】
【手続補正１７】
【補正対象書類名】明細書
【補正対象項目名】００４０
【補正方法】変更
【補正の内容】
【００４０】
本発明によれば、装置構成を大きくすることなく、また環境にかかわりなく、画像劣化を防止できる画像形成装置を提供することができる。